(57)【要約】【課題】従来は、既存のメディア再生機器の改変を必要とする。また、携帯情報端末で取り扱えるデータは一般に容量が小さく、目的によっては物足りなさを感じる。【解決手段】コンテンツ再生装置１０は、ランダムアクセス可能な再生装置であり、記録媒体から所望のコンテンツを再生し、また、既存のリモコン信号を受信する機能を有する。携帯情報端末３０は、コンテンツ再生装置１０内の記録媒体に記録されたコンテンツに関連するコンテンツのデータを含むカートリッジ４０が挿入自在な構成とされており、表示部３３にカートリッジ４０内のデータを読み出した結果を表示する。また、携帯情報端末３０は、コンテンツの部分に相当する管理番号を伴った再生コマンドをリモコン信号として送信する。カートリッジ４０には、コンテンツの画像データ、管理情報、関連情報などが記憶されている。【選択図】            図１
2004228924.tif 000002
【特許請求の範囲】
【請求項１】
複数のコンテンツが記録された第１の記録媒体を再生する再生装置に情報端末がアクセスして、前記第１の記録媒体から所望のコンテンツを再生させるコンテンツ情報再生方法において、
前記第１の記録媒体には前記複数のコンテンツを個別に特定する第１の管理情報が少なくとも該複数のコンテンツと共に記録されており、前記情報端末が再生する第２の記録媒体には前記第１の記録媒体に記録された前記複数のコンテンツのそれぞれについてコンテンツ情報の一部を抜き出して得た複数の部分コンテンツ情報と、各部分コンテンツ情報毎にその部分コンテンツ情報に対応するコンテンツを前記第１の記録媒体上で前記第１の管理情報と関連付けて特定する第２の管理情報が記録されており、
前記情報端末が、前記第２の記録媒体を再生して前記複数の部分コンテンツ情報を同時又は順次に表示部に表示して所望の部分コンテンツ情報を選択させる第１のステップと、前記選択された所望の部分コンテンツ情報に関連する前記第２の管理情報を前記第１の記録媒体を再生する再生装置に送信する第２のステップとを含み、前記再生装置が、前記情報端末から送信された前記第２の管理情報を受信する第３のステップと、前記複数のコンテンツのうち受信した前記第２の管理情報が示すコンテンツを前記第１及び第２の管理情報を用いて特定して前記第１の記録媒体から再生する第４のステップとを含むことを特徴とするコンテンツ情報再生方法。
【請求項２】
前記情報端末は、前記第１のステップにより複数の所望の部分コンテンツ情報を選択すると共にそれらの再生順序を指定したときは、前記選択された複数の所望の部分コンテンツ情報のそれぞれについて前記第２の管理情報に基づいて、前記第２の記録媒体上の対応する複数のコンテンツの再生時間を計算する第５のステップと、前記選択された所望の部分コンテンツ情報に関連する複数の前記第２の管理情報を、直前のコンテンツの再生時間に関連した時間経過後に、前記第１の記録媒体を再生する再生装置に前記指定された再生順序で送信する第６のステップとを、前記第２のステップに代えて含むことを特徴とする請求項１記載のコンテンツ情報再生方法。
【請求項３】
複数のコンテンツが記録された第１の記録媒体を再生する再生装置にアクセスして、前記第１の記録媒体から所望のコンテンツを再生させる情報端末において、
前記第１の記録媒体に記録された前記複数のコンテンツのそれぞれについてコンテンツ情報の一部を抜き出して得た複数の部分コンテンツ情報と、各部分コンテンツ情報毎にその部分コンテンツ情報に対応するコンテンツを前記第１の記録媒体上で前記第１の管理情報と関連付けて特定する第２の管理情報とが記録されている第２の記録媒体が装着されると、前記第２の記録媒体から複数の前記部分コンテンツ情報及び複数の前記第２の管理情報とを読み出す読み出し手段と、
ユーザーが操作を行うための操作手段と、
所望の情報を表示する表示手段と、
前記読み出し手段により読み出された複数の前記部分コンテンツ情報を、前記操作手段による指示に応じた態様で前記表示手段に画像表示する制御手段と、
前記表示手段により同時に又は順次に画像表示された複数の前記部分コンテンツ情報の中から、前記操作手段により選択された部分コンテンツ情報に対応する前記第２の管理情報を前記再生装置へ送信する送信手段と
を有し、送信された前記第２の管理情報を前記再生装置により受信させ、前記第１及び第２の管理情報を用いて、前記選択された部分コンテンツ情報に対応するコンテンツを特定させて前記第１の記録媒体から再生させることを特徴とする情報端末。
【請求項４】
複数のコンテンツと、該複数のコンテンツを個別に特定する第１の管理情報が少なくとも記録された記録媒体を再生する再生装置にアクセスする情報端末に装着される情報記録担体であって、
前記記録媒体に記録された前記複数のコンテンツのそれぞれについてコンテンツ情報の一部を抜き出して得た複数の部分コンテンツ情報と、各部分コンテンツ情報毎にその部分コンテンツ情報に対応するコンテンツを前記記録媒体上で前記第１の管理情報と関連付けて特定する第２の管理情報とが記録されていることを特徴とする情報記録担体。
【発明の詳細な説明】
【０００１】
【発明の属する技術分野】
本発明はコンテンツ情報再生方法、情報端末及び情報記録担体に係り、特に携帯情報端末と映像再生装置とで、概要と詳細といった互いに関連する内容のコンテンツを必要に応じて再生するコンテンツ情報再生方法及びそれに用いる情報端末と情報記録担体に関する。
【０００２】
【従来の技術】
従来のコンテンツ情報再生方法では、再生に先立ち、パッケージや同封冊子に記載されたタイトルや時間、またはチャプター番号などを確認し、それを見ながらリモコンや機器本体を操作して再生したいコンテンツを検索している。
【０００３】
また、メディア再生機器をリモコンまたは本体で操作することにより、それに接続されたモニタ画面上にコンテンツのサムネイル画像を一覧表示し、リモコンまたは本体を再び操作して、その一覧表示の中から目的のコンテンツのサムネイル画像を選択することで目的のコンテンツを検索している。
【０００４】
そして、上記のようにして検索した目的のコンテンツの情報をメディア再生機器により再生して、携帯情報端末であるリモコンの画面に表示するコンテンツ情報再生方法が従来より知られている（例えば、特許文献１参照）。すなわち、この特許文献１記載の従来のコンテンツ情報再生方法では、ビデオ機器の再生処理系によって記録済みの磁気テープから画像信号を再生し、その再生画像信号を信号変換処理してビデオ機器の送受信部から赤外光信号としてリモコンに送信し、リモコンではこれを送受信部で受光して光電変換し、受信信号を復調してリモコンの表示部に再生画像を表示させるものである。
【０００５】
【特許文献１】
特開２００１−１０３３３４号公報
【０００６】
【発明が解決しようとする課題】
しかるに、上記の従来のコンテンツ情報再生方法では、難しい操作が必要であり、また、リモコンに再生画像を表示できるようにするためには、既存のメディア再生機器であるビデオ機器の改変を必要とする。また、携帯情報端末であるリモコンで取り扱えるデータは一般に容量が小さく、目的によっては物足りなさを感じるという問題もある。更に、リモコンの表示画面の面積は、リモコンが携帯を前提に作られているためにあまり大きくない。逆に、家庭に設置されるモニタと再生装置との組合せは、データ容量の心配も少なく、また、大画面のモニタでの画像表示が可能であるが、携帯性はない。
【０００７】
本発明は以上の点に鑑みなされたもので、難しい操作を必要とせずに、しかも既存の再生装置を改変することなく目的のコンテンツの情報を再生し得るコンテンツ情報再生方法、情報端末及び情報記録担体を提供することを目的とする。
【０００８】
また、本発明の他の目的は、携帯情報端末とモニタのそれぞれの情報量の違いや情報の性質の違いを効率的に補い得るコンテンツ情報再生方法、情報端末及び情報記録担体を提供することにある。
【０００９】
【課題を解決するための手段】
上記の目的を達成するため、本発明のコンテンツ情報再生方法は、複数のコンテンツが記録された第１の記録媒体を再生する再生装置に情報端末がアクセスして、第１の記録媒体から所望のコンテンツを再生させるコンテンツ情報再生方法において、第１の記録媒体には複数のコンテンツを個別に特定する第１の管理情報が少なくとも複数のコンテンツと共に記録されており、情報端末が再生する第２の記録媒体には第１の記録媒体に記録された複数のコンテンツのそれぞれについてコンテンツ情報の一部を抜き出して得た複数の部分コンテンツ情報と、各部分コンテンツ情報毎にその部分コンテンツ情報に対応するコンテンツを第１の記録媒体上で第１の管理情報と関連付けて特定する第２の管理情報が記録されており、
情報端末が、第２の記録媒体を再生して複数の部分コンテンツ情報を同時又は順次に表示部に表示して所望の部分コンテンツ情報を選択させる第１のステップと、選択された所望の部分コンテンツ情報に関連する第２の管理情報を第１の記録媒体を再生する再生装置に送信する第２のステップとを含み、再生装置が、情報端末から送信された第２の管理情報を受信する第３のステップと、複数のコンテンツのうち受信した第２の管理情報が示すコンテンツを第１及び第２の管理情報を用いて特定して第１の記録媒体から再生する第４のステップとを含むことを特徴とする。
【００１０】
この発明では、情報端末はデータ記憶容量が大きくないので部分コンテンツ情報、すなわち、コンテンツの概略情報を表示し、一方、コンテンツのより詳細な情報はデータ容量の大きな再生装置により再生することができる。また、この発明では、情報端末により第２の管理情報を送信することで、再生装置にコンテンツの検索処理とそのコンテンツの再生動作とを指示することができる。
【００１１】
また、上記の目的を達成するため、本発明のコンテンツ情報再生方法は、情報端末が、第１のステップにより複数の所望の部分コンテンツ情報を選択すると共にそれらの再生順序を指定したときは、選択された複数の所望の部分コンテンツ情報のそれぞれについて第２の管理情報に基づいて、第２の記録媒体上の対応する複数のコンテンツの再生時間を計算する第５のステップと、選択された所望の部分コンテンツ情報に関連する複数の第２の管理情報を、直前のコンテンツの再生時間に関連した時間経過後に、第１の記録媒体を再生する再生装置に指定された再生順序で送信する第６のステップとを、第２のステップに代えて含むことを特徴とする。
【００１２】
この発明では、選択された複数の所望の部分コンテンツ情報のそれぞれについての複数の第２の管理情報を、直前のコンテンツの再生時間に関連した時間経過後に、第１の記録媒体を再生する再生装置に指定された再生順序で送信するようにしたため、複数のコンテンツの連続再生ができる。
【００１３】
また、上記の目的を達成するため、本発明の情報端末は、複数のコンテンツが記録された第１の記録媒体を再生する再生装置にアクセスして、第１の記録媒体から所望のコンテンツを再生させる情報端末において、第１の記録媒体に記録された複数のコンテンツのそれぞれについてコンテンツ情報の一部を抜き出して得た複数の部分コンテンツ情報と、各部分コンテンツ情報毎にその部分コンテンツ情報に対応するコンテンツを第１の記録媒体上で第１の管理情報と関連付けて特定する第２の管理情報とが記録されている第２の記録媒体が装着されると、第２の記録媒体から複数の部分コンテンツ情報及び複数の第２の管理情報とを読み出す読み出し手段と、ユーザーが操作を行うための操作手段と、所望の情報を表示する表示手段と、読み出し手段により読み出された複数の部分コンテンツ情報を、操作手段による指示に応じた態様で表示手段に画像表示する制御手段と、表示手段により同時に又は順次に画像表示された複数の部分コンテンツ情報の中から、操作手段により選択された部分コンテンツ情報に対応する第２の管理情報を再生装置へ送信する送信手段とを有する構成としたものである。
【００１４】
この発明では、送信された第２の管理情報を再生装置により受信させ、第１及び第２の管理情報を用いて、選択された部分コンテンツ情報に対応するコンテンツを特定させて第１の記録媒体から再生させることができる。
【００１５】
また、上記の目的を達成するため、本発明の情報記録担体は、複数のコンテンツと、複数のコンテンツを個別に特定する第１の管理情報が少なくとも記録された記録媒体を再生する再生装置にアクセスする情報端末に装着される情報記録担体であって、記録媒体に記録された複数のコンテンツのそれぞれについてコンテンツ情報の一部を抜き出して得た複数の部分コンテンツ情報と、各部分コンテンツ情報毎にその部分コンテンツ情報に対応するコンテンツを記録媒体上で第１の管理情報と関連付けて特定する第２の管理情報とが記録されていることを特徴とする。
【００１６】
この発明では、再生装置が再生する記録媒体に記録された複数のコンテンツの部分コンテンツ情報を端末装置により再生できると共に、上記の記録媒体に記録された複数のコンテンツを第２の管理情報を再生することにより、上記第１の管理情報と対応付けて端末装置から再生装置が再生するコンテンツを特定して指定できる。
【００１７】
【発明の実施の形態】
次に、本発明の実施の形態について図面と共に説明する。図１は本発明になるコンテンツ情報再生方法の一実施の形態が適用される再生システムの概略システム構成図、図２は図１の各部のブロック図を示す。両図において、コンテンツ再生装置１０は、例えばＤＶＤ（Ｄｉｇｉｔａｌ  Ｖｅｒｓａｔｉｌｅ  Ｄｉｓｋ）プレーヤ、ＨＤＤ（Ｈａｒｄ  Ｄｉｓｋ  Ｄｒｉｖｅ）あるいはＳＴＢ（Ｓｅｔ  Ｔｏｐ  Ｂｏｘ）などのランダムアクセス可能なコンテンツ再生装置であり、レシーバ１１とプレーヤ１２とからなり、プレーヤ１２内にある記録媒体から所望のコンテンツを再生して、所望のコンテンツの再生映像信号及び／又は再生音声信号を得る。レシーバ１１は、既存のリモコン信号を受信する既存の受信機であり、コンテンツ再生装置１０自体の構成は従来と同様であり、改変していない。
【００１８】
モニタ２０はコンテンツ再生装置１０に接続され、コンテンツ再生装置１０により再生された、所望のコンテンツの再生映像信号の画像表示を行ったり、再生音声信号を発音する。
【００１９】
一方、携帯情報端末３０は、コンテンツ再生装置１０内の記録媒体に記録されたコンテンツに関連するコンテンツのデータを含むカートリッジ４０が挿入自在な構成とされており、中央処理装置（ＣＰＵ）３１、トランスミッタ３２及び表示素子の一例としての液晶表示素子（ＬＣＤ）による表示部３３を含む構成とされている。
【００２０】
上記の表示部３３は、カートリッジ４０内のデータを読み出した結果を表示する。また、上記のトランスミッタ３２は、例えばコンテンツの部分に相当する管理番号を伴った再生コマンドをリモコン信号として例えば赤外線で送信する送信機である。このリモコン信号は、コンテンツ再生装置１０内のレシーバ（受信機）１１で受信される。
【００２１】
また、携帯情報端末３０は、図２では図示を省略したが、ボタンや十字キーなどのデータ操作用の入力装置が図１に３４で示すようにパネル前面に設けられており、これによりカートリッジ４０内のデータの読み出し等を操作することができる。なお、コンテンツ再生装置１０及び携帯情報端末３０はそれぞれ単独でも動作可能である。
【００２２】
カートリッジ４０は、本発明になる情報記録担体の一例で、例えば図２に示すように、リード・オンリ・メモリ（ＲＯＭ）４１及びランダム・アクセス・メモリ（ＲＡＭ）４２を有する情報記録担体であり、携帯情報端末３０の機能拡張用のモジュールである。ＲＯＭ４１には携帯情報端末３０を動作させるためのプログラムが記憶されており、ＲＯＭ４１及び／又はＲＡＭ４２にはコンテンツの画像データ、管理情報、関連情報などが記憶されている。
【００２３】
次に、このカートリッジ４０内のデータ構造について、図３と共に説明する。カートリッジ４０内のＲＯＭ４１又はＲＡＭ４２には、図３に模式的に示すように、コンテンツＡ、Ｂから抜き出された画像データ５１ａ、５１ｂと、カートリッジ用に編集されたコンテンツＡ、Ｂの関連情報５２ａ、５２ｂと、コンテンツＡ、Ｂを特定できる管理情報５３ａ、５３ｂなどが記憶されている。ここで、コンテンツの関連情報５２ａ、５２ｂには、画像情報やテキスト情報等が保持されている。関連情報とは、コンテンツ内容についての簡易的な情報、もしくはコンテンツを連想するような情報を指す。
【００２４】
また、コンテンツを表す管理情報５３ａ、５３ｂは、コンテンツそのものを特定できる情報のことで、例えば、管理番号、タイトル、再生時間、録画日時、アーチスト名等の情報である。管理番号はコンテンツの部分（コンテンツＡ、Ｂ、Ｃ等）を特定する番号であり、例えば、チャプターナンバーであって、記録媒体中のコンテンツ全体の中の位置を示す位置情報ともいえる。
【００２５】
ここで、コンテンツ再生装置１０内の記録媒体のコンテンツと、カートリッジ４０内のコンテンツ管理情報中の管理番号は、対応する部分について同一番号が割り振られている。すなわち、コンテンツ再生装置１０内には録画したコンテンツ、または小売店から購入したパッケージのコンテンツが入っている、コンテンツは録画日時、または場面変化、ＣＭ、コンテンツ作成者の意図したもの等の区切りがあり、その区切り毎に管理番号が割り振られている。
【００２６】
図４はコンテンツ再生装置１０に装着された記録媒体に記録されているコンテンツの一例を模式的に示す。同図に示すように、コンテンツ毎に固有の管理番号が付されている。ユーザーは所望するときに、このコンテンツ再生装置１０内のコンテンツを再生し視聴することができる。
【００２７】
本実施の形態では、情報携帯端末３０はデータ記憶容量が大きくないのでコンテンツの概略情報を表示し、コンテンツのより詳細な情報はデータ容量の大きなコンテンツ再生装置１０により再生可能な別の記録媒体で再生できるようにする。従って、カートリッジ４０内のデータとコンテンツ再生装置１０内のコンテンツの例としては、静止画と動画、問題と解答、簡易データベースと大容量データベースといったものがあげられる。具体的には、カートリッジ４０内のデータとして例えば、図鑑や辞書を用意し、携帯情報端末３０に挿入し携帯することが可能になる。
【００２８】
次に、本実施の形態の動作について説明する。まず、携帯情報端末３０の動作について図５のフローチャートと共に説明する。ユーザーが再生装置内コンテンツ用のカートリッジ４０を携帯情報端末３０に挿入し、携帯情報端末３０の入力装置３４を操作することにより、カートリッジ４０内のデータを読み出す（ステップＳ１）。
【００２９】
図６は読み出されたカートリッジ内データの一例を模式的に示す。同図において、カートリッジ内データとしてコンテンツＡ、Ｂ及びＣの画像データと共に読み出される管理番号は、図４に示したようにコンテンツ再生装置１０内の記録媒体のコンテンツの画像データと同じ画像データの管理番号と同一番号が割り振られている。また、カートリッジ内データのデータ構造は図３に示したものである。この読み出されたカートリッジ内データは、携帯情報端末３０上の表示部３３により、再生装置内コンテンツを示す画像が一覧表示、またはそのコンテンツを表す関連情報が表示される（ステップＳ２）。
【００３０】
図７（Ａ）、（Ｂ）は、携帯情報端末３０上の画面表示例を示す。図７（Ａ）は再生装置内コンテンツを示す画像が一覧表示されている例で、ユーザーは一覧表示された各コンテンツＡ、Ｂ、Ｃを表す画像の中から、携帯情報端末３０の入力装置３４を操作して任意の画像・コンテンツを選択する。図７（Ｂ）はコンテンツを表す画像と共に、カートリッジ４０内にあるそのコンテンツに関する関連情報が表示されている例である。こうして、ユーザーは携帯情報端末３０上で表示される画像を見たり、テキストを読んだりして、コンテンツの情報を得ることができる。
【００３１】
続いて、ユーザーは携帯情報端末３０上に表示されている、画像またはコンテンツ・情報に関して、より詳細なデータまたは関連性のあるデータ等を必要とするか否か判定する（ステップＳ３）。すなわち、携帯情報端末３０の性質上、携帯情報端末３０の表示部３３で表示される情報は概略の情報であって、より詳細な内容はコンテンツ再生装置（例えばＤＶＤプレーヤ）１０により再生可能な別の記録媒体（例えばＤＶＤディスク）で供給されているとする。この場合、予めコンテンツ再生装置１０に、この詳細内容が記録された記録媒体を装着しておくことにより、携帯情報端末３０の情報を見ている途中で、ユーザーの望むときには適宜、以下の様な方法で、簡単な操作でコンテンツ再生装置１０から関連する詳細情報を再生することができる。
【００３２】
いま、携帯情報端末３０の表示部３３に表示されているコンテンツの概略情報を見ていたユーザーが詳細情報を見たいと欲して、ボタンや十字キーを用いた所定の操作により「コンテンツ再生装置の再生」の指示を行うと、携帯情報端末３０上に搭載された図２に示したトランスミッタ（送信機）３２からコンテンツの部分に相当する管理番号を伴った再生コマンドがリモコン信号として例えば赤外線の形でコンテンツ再生装置１０へ送信される（ステップＳ４）。
【００３３】
ここで、各コンテンツに割り振られた上記の管理番号は、各コンテンツを表す画像が携帯情報端末３０の表示部３３に表示されるか選択されると、カートリッジ内データである管理情報の中から管理番号が読み出され、レジスタやメモリに保持される。その後、携帯情報端末３０の動作メニューから送信を選択、もしくは携帯情報端末３０上にある送信ボタンを押す事でレジスタから管理番号が読み出されて、上記のようにリモコン信号として送信される。
【００３４】
一方、ユーザーは上記の管理番号送信後、又はより詳細なコンテンツデータを必要としない場合は、次のコンテンツを参照するか否か判断し（ステップＳ５）、次のコンテンツを参照する場合は再び図５のステップＳ２に戻り、次のコンテンツデータを表示部３３に表示させ、携帯情報端末３０の入力装置３４を操作することで表示されている画像の中から目的のコンテンツを探し、そのコンテンツを選択・決定する。次のコンテンツを参照しない場合は、操作を終了する。
【００３５】
次に、コンテンツ再生装置１０の動作について説明する。コンテンツ再生装置１０は、携帯情報端末３０から送信されたリモコン信号を、図２に示したレシーバ（受信機）１１で受信すると（ステップＳ２１）、リモコン信号を電気信号に変換して再生コマンド中の管理番号を取得し、プレーヤ１２に装着された記録媒体に記録されている、取得した管理番号（例えばチャプターナンバー）のコンテンツの検索を開始する（ステップＳ２２）。
【００３６】
上記のコンテンツの検索処理により、受信した管理番号に対応したコンテンツが見つかるかどうか判定し（ステップＳ２３）、見つからない時には処理を終了し、見つかった時には、プレーヤ１２によりそのコンテンツの再生を始める（ステップＳ２４）。そして、プレーヤ１２により再生されたコンテンツの画像情報や音声情報がモニタ２０に出力されて、モニタ２０にて画像表示および発音される（ステップＳ２５）。
【００３７】
このように、本実施の形態によれば、情報携帯端末３０はデータ記憶容量が大きくないのでコンテンツの概略情報を表示し、コンテンツのより詳細な情報はデータ容量の大きなコンテンツ再生装置１０により再生可能な別の記録媒体で再生できるようにすることで、携帯情報端末３０とコンテンツ再生装置１０の情報量の違いや情報の性質の違いを効率良く補うことができる。また、コンテンツ再生装置１０内のコンテンツの検索処理を指示する手段と、リモコン信号によるコンテンツ再生装置１０の再生動作指示手段とを同じ携帯情報端末３０に持たせるようにしたため、所望のコンテンツ情報を容易に、しかも簡単な操作で入手することができる。
【００３８】
次に、本発明の他の実施の形態について説明する。上記の実施の形態では、より詳細なコンテンツデータを必要とするときには、そのコンテンツに定められた管理番号を携帯情報端末３０からコンテンツ再生装置１０へ送信して、その管理番号に対応するコンテンツを再生させ、その再生が終了すると、次のコンテンツの参照をするか否か判断しているが、この実施の形態では、再生する所望の複数のコンテンツを所望の順番で再生するように予め決定し、順次連続的に再生させるプログラム再生を行うことを特徴とする。
【００３９】
図９は本発明のコンテンツ情報再生方法の他の実施の形態における携帯情報端末の動作説明用フローチャートを示す。同図中、図５と同一処理ステップには同一符号を付し、その説明を省略する。図９に示すように、携帯情報端末３０は、ステップＳ３でより詳細なコンテンツデータを必要とすると判断したときには、プログラム再生を行うかどうか判定する（ステップＳ６）。プログラム再生を行わない場合は、図５と同様に、ステップＳ４及びＳ５の処理が行われる。
【００４０】
他方、プログラム再生を行うとの指示があるとき（連続して複数のコンテンツをコンテンツ再生装置１０から再生したい場合）には、携帯情報端末３０上で送信すべき管理番号の操作または管理を行う。すなわち、携帯情報端末３０は、入力された再生する所望のコンテンツに対応する管理番号がレジスタに保持される。このレジスタに保持されている管理番号は、メニューから「連続再生リストへの追加」を選ぶ事で連続再生用のメモリへ移される。この動作を繰り返すことで、メモリ内には連続再生に必要な管理番号がすべて保持される（ステップＳ７、Ｓ８）。
【００４１】
携帯情報端末３０のＣＰＵ３１は、上記のメモリに移された順番で管理番号の送信を行うか、またはメモリに保持されている管理番号を携帯情報端末３０の表示部３３に表示し、任意の順番に入れ替え送信の順番を決定して、その順番を保持し、また、管理番号からカートリッジ内のコンテンツ管理情報を参照し、連続再生の総再生時間と各コンテンツの再生時間を計算する（ステップＳ９）。
【００４２】
その後、携帯情報端末３０の動作メニューから送信を選択、もしくは携帯情報端末３０上にある送信ボタンを押す事で送信順にメモリから管理番号がレジスタに書き出され、続いてレジスタから管理番号が読み出され、携帯情報端末３０内のトランスミッタ３２からコンテンツ再生装置１０へ管理番号がリモコン信号として送信される（ステップＳ１０）。
【００４３】
最初の管理番号の送信後、次の管理番号送信までの時間を、最初の管理番号に対応するコンテンツの再生時間から計算し、計算した時間経過した時点で次の順番の管理番号を送信する（ステップＳ１１、Ｓ９、Ｓ１０）。以下、同様にして、カートリッジ４０内のコンテンツ管理情報を基に前コンテンツの再生終了を携帯情報端末３０上で判定し、記憶した順番に沿ってコンテンツ管理番号をコンテンツ再生装置１０へ送信する。
【００４４】
連続再生に必要なすべてのコンテンツ管理番号の送信が終了すると、次のコンテンツを参照するかどうかＣＰＵ３１が判断し（ステップＳ５）、参照するときにはステップＳ２の処理に戻り、参照しないときには処理を終了する。
【００４５】
一方、ステップＳ１０で携帯情報端末３０から送信された管理番号を受信したコンテンツ再生装置１０は、図８に示したフローチャートに従って、受信した管理番号からコンテンツを検索し、再生を始め、モニタ２０へ再生信号を出力する。
【００４６】
これにより、図１０に模式的に示すように、携帯情報端末３０から最初の管理番号が送信されると（ステップ６１）、コンテンツ再生装置１０により最初の管理番号が受信されて（ステップ７１）、その受信管理番号に対応した最初のコンテンツの再生が行われる（ステップ７２）。この最初のコンテンツの再生期間中は、携帯情報端末３０は管理番号の送信を待機しており（ステップ６２）、再生終了直前で次に再生する管理番号が携帯情報端末３０から送信され（ステップ６３）、コンテンツ再生装置１０により受信される（ステップ７３）。
【００４７】
以下、同様にして、コンテンツ再生装置１０は受信管理番号に対応した次の順番のコンテンツの再生を行い（ステップ７４）、このコンテンツの再生期間中は、携帯情報端末３０は次に再生するコンテンツの管理番号の送信を待機し（ステップ６４）、再生終了直前で次に再生する管理番号を送信し（ステップ６５）、コンテンツ再生装置１０がその管理番号を受信して（ステップ７５）、受信管理番号に対応するコンテンツの再生を行う（ステップ７６）。このようにして、連続再生動作が行われる。
【００４８】
なお、本発明は以上の実施の形態に限定されるものではなく、例えば携帯情報端末３０からコンテンツ再生装置１０へ送信するリモコン信号は、超音波あるいは光信号の形態でもよく、また有線で送信することも可能である。
【００４９】
【発明の効果】
以上説明したように、本発明によれば、情報端末はデータ記憶容量が大きくないので部分コンテンツ情報、すなわち、コンテンツの概略情報を表示し、一方、コンテンツのより詳細な情報はデータ容量の大きな再生装置により再生するようにしたため、情報端末と再生装置のそれぞれの情報量の違いや、情報の性質の違いを効率良く補うことができる。
【００５０】
また、本発明によれば、情報端末により第２の管理情報を送信することで、再生装置にコンテンツの検索処理とそのコンテンツの再生動作とを指示するようにしたため、同じ情報端末で再生装置内コンテンツを検索と、再生動作指示とを同行えることから、難しい操作を必要とせずに、しかも既存の再生装置を改変することなく目的のコンテンツの情報を容易に入手することができる。
【００５１】
更に、本発明によれば、選択された複数の所望の部分コンテンツ情報のそれぞれについての複数の第２の管理情報を、直前のコンテンツの再生時間に関連した時間経過後に、第１の記録媒体を再生する再生装置に指定された再生順序で送信するようにしたため、複数のコンテンツの連続再生が効率良くできる。
【図面の簡単な説明】
【図１】本発明になるコンテンツ情報再生方法の一実施の形態が適用される再生システムの概略システム構成図である。
【図２】図１の各部の一例のブロック図である。
【図３】カートリッジ内のデータ構成の一例を示す図である。
【図４】再生装置内のコンテンツが管理番号により分類されていることを示す図である。
【図５】本発明の一実施の形態の携帯情報端末側の動作を説明するフローチャートである。
【図６】カートリッジ内のデータと再生装置内コンテンツとの関係を示す図である。
【図７】携帯情報端末上に表示される画像の各例を示す図である。
【図８】本発明の一実施の形態のコンテンツ再生装置側の動作を説明するフローチャートである。
【図９】本発明の他の実施の形態の携帯情報端末側の動作を説明するフローチャートである。
【図１０】複数のコンテンツを再生する際の携帯情報端末と再生装置の動作例を示す図である。
【符号の説明】
１０  コンテンツ再生装置
１１  レシーバ
１２  プレーヤ
２０  モニタ
３０  携帯情報端末
３１  中央処理装置（ＣＰＵ）
３２  トランスミッタ
３３  表示部
３４  入力装置
４０  カートリッジ
４１  ＲＯＭ
４２  ＲＡＭ
５１ａ、５１ｂ  コンテンツの画像データ
５２ａ、５２ｂ  コンテンツの関連情報
５３ａ、５３ｂ  コンテンツを特定する管理情報
【図１】
2004228924.tif 000003
【図２】
2004228924.tif 000004
【図３】
2004228924.tif 000005
【図４】
2004228924.tif 000006
【図５】
2004228924.tif 000007
【図６】
2004228924.tif 000008
【図７】
2004228924.tif 000009
【図８】
2004228924.tif 000010
【図９】
2004228924.tif 000011
【図１０】
2004228924.tif 000012